(57)【要約】【課題】  扉の隙間から金属板等の不正手段を挿入してスイッチ自体に行われる不正行為を防止する遊技機の扉開閉検出装置及び扉開閉検出装置を備えた遊技機を提供する。【解決手段】  前面開口を有して箱状に形成された筐体材及び前面開口を開閉可能に取り付けられた扉部材とを有する遊技機で用いられる遊技機の扉開閉検出装置であって、扉部材には、少なくとも２以上のマグネット部材が取り付けられ、筐体には、１のマグネット部材に対して触接する少なくとも２以上の受け部材が取り付けられ、受け部材同士は、受け部材通電検出手段を介して電気的に接続され、扉部材の閉時に、各マグネット部材が、対応する受け部材に触接することによって、２以上の受け部材と受け部材通電検出手段とが通電する。【選択図】  図１
2005034551.tif 000002
【特許請求の範囲】
【請求項１】
前面開口を有して箱状に形成された筐体材及び前記前面開口を開閉可能に取り付けられた扉部材とを有する遊技機で用いられる遊技機の扉開閉検出装置であって、
前記扉部材には、少なくとも２以上のマグネット部材が取り付けられ、
前記筐体には、前記１のマグネット部材に対して触接する少なくとも２以上の受け部材が取り付けられ、
前記受け部材同士は、受け部材通電検出手段を介して電気的に接続され、
前記扉部材の閉時に、前記各マグネット部材が、対応する前記受け部材に触接することによって、前記２以上の受け部材と前記受け部材通電検出手段とが通電することを特徴とする遊技機の扉開閉検出装置。
【請求項２】
前面開口を有して箱状に形成された筐体材及び前記前面開口を開閉可能に取り付けられた扉部材とを有する遊技機で用いられる遊技機の扉開閉検出装置であって、
前記扉部材には、少なくとも２以上のマグネット部材が取り付けられ、
前記筐体には、前記１のマグネット部材に対して触接する少なくとも２以上の受け部材が取り付けられ、
前記受け部材同士は、受け部材通電検出手段を介して電気的に接続され、
前記１のマグネットは、前記１のマグネット以外のマグネットに対応する受け部材とマグネット通電検出手段を介して電気的に接続され、
前記扉部材の閉時に、前記各マグネット部材が、対応する前記受け部材に触接することによって、前記受け部材と前記受け部材通電検出手段、及び前記マグネット部材と前記マグネット通電検出手段が通電することを特徴とする遊技機の扉開閉検出装置。
【請求項３】
前記受け部材通電検出手段及び前記マグネット通電検出手段は、前記筐体内部に備えられた主電源供給手段から動作に必要な電源を供給されることを特徴とする請求項１または２記載の遊技機の扉開閉検出装置。
【請求項４】
前記筐体の開口部の枠部に取り付けられた筐体板金部と前記受け部材との間に接続され、前記筐体板金部と前記受け部材との間に通電があるかどうかを検出する筐体板金部通電検出手段をさらに有することを特徴とする請求項１または２記載の遊技機の扉開閉検出装置。
【請求項５】
前記扉部材の枠部と前記受け部材との間に通電があるかどうかを検出する扉部材通電検出手段をさらに有することを特徴とする請求項１または２記載の遊技機の扉開閉検出装置。
【請求項６】
前面開口を有して箱状に形成された筐体と、前記前面開口を開閉可能に取り付けられた扉部材とを有し、
請求項１から５のいずれか１項に記載の遊技機の扉開閉検出装置を有することを特徴とする遊技機。
【請求項７】
前記受け部材通電検出手段及び前記マグネット通電検出手段に通電がない場合、前記扉部材の開放を検出し報知する扉開放報知手段をさらに有することを特徴とする請求項６記載の遊技機。
【請求項８】
前記筐体の開口部の枠部に取り付けられた筐体板金部と前記受け部材との間に接続され、前記筐体板金部と前記受け部材との間に通電があるかどうかを検出する筐体板金部通電検出手段をさらに有することを特徴とする請求項６記載の遊技機。
【請求項９】
前記扉部材の枠部と前記受け部材との間に通電があるかどうかを検出する扉部材通電検出手段をさらに有することを特徴とする請求項６記載の遊技機。
【発明の詳細な説明】
【技術分野】
【０００１】
本発明は、回胴遊技機および弾球遊技機等の遊技機に装備される遊技機の扉開閉検出装置及び遊技機に関する。
【背景技術】
【０００２】
一般にスロットマシンの前扉あるいはパチンコ機の表板やガラス扉等、遊技機の遊技面を構成する扉は、管理者以外の者が開放するのを防止するために施錠装置が設けられているが、施錠装置が設けられているにもかかわらず不正目的で無断開放されることがあり、これを未然に防止するために施錠装置とは別に不正警報装置を遊技機に装備することが従来例として提案・実用化されている。例えば、遊技機における表板の向かって左側であるヒンジ側の側辺部または右側である開放側の側辺部に対応する機枠の前縁部にドアセンサを設け、このドアセンサにより表板の開状態を検出したときには、遊技機自体または遊技場の制御室などに設けたブザーやパイロットランプなどから構成される警報器を作動させ、音や光で警報を発するようにしたものが開示されている。
【０００３】
しかしながら、一般に扉開放検出用として使用されるドアセンサは、所定の作動ストロークを有するプッシュ型センサや光センサなどからなり、扉が開状態から所定量開かれるまでは作動しない不感帯領域を有しているので、この不感帯領域の限度まで扉をこじ開け、そのわずかの隙間から板状のものやワイヤを差し込んで、遊技機内部のスイッチやセンサを誤作動させたり、設定を変えたりする不正行為が行われるおそれがあった。
【０００４】
上記問題を解決する従来技術例として、ドアセンサの不感帯領域内で扉を開いたときでも、その開放側測辺部と枠部との隙間を塞ぐようにカバー部材を設けることによって、わずかの隙間から板状のものやワイヤを差し込んで遊技機を誤作動させる不正行為を防止できる「遊技機の扉開放検出用ドアセンサ保護構造」がある（例えば、特許文献１参照）。また、発音装置や照明装置の作動状態に応じて異常検出時の発音装置や照明装置の出力を自動調整することによって、警報効果を向上させ、警報が見逃せるおそれのない「警報機能付き遊技機」がある（例えば、特許文献２参照）。
【特許文献１】特開２００１−３７９４８号公報
【特許文献２】特開２００１−１７８９４１号公報
【発明の開示】
【発明が解決しようとする課題】
【０００５】
しかしながら、上記特許文献１記載の発明は、遊技機のドアセンサをカバー部材で覆うことにより、遊技機外部からの不正手段からドアセンサを防護するものではあるが、ドアセンサ自体に防護機能を備えていないので、何らかの手段でカバー部材を破損させ、ドアセンサに対して誤作動を誘発させる等の不正行為が行われるおそれがある。また、上記特許文献２記載の発明は、ドアセンサが遊技機の扉の開放を検出したときに、遊技機の効果音と異なる態様の警報音を発生させることによって、警報音を際だたせ、警報効果を高めるものであるので、不正行為自体を未然に防止することはできない。
【０００６】
また、ドアの隙間から板状の金属等を遊技機内部に挿入し、内部のドアスイッチに接触させ、擬似的な通電状態を作り出すことによって、ドアセンサが開放を検知しないようにする不正行為が多発しており、従来技術にはそのような不正行為を防止するものはなかった。
【０００７】
また、従来の遊技機が備える扉開閉検知用のスイッチは、ボタンが押されたたままの状態を扉が閉じている状態（通電有り状態）、押された状態からボタンがもとに戻ると扉が開いている状態（通電無し状態）として検知する、押しボタン式のものが主流であった。このようなボタン式はボタンとボタン受け部との間に隙間が生じるので、その隙間を利用してテープ等をボタンの上から張るなどしてボタンを押した状態にし、擬似的に通電状態を作り出すことによって、扉の開放を検知されるのを防いだ上で、扉を不正に開放されるという問題があった。
【０００８】
本発明は、上記事情に鑑みてなされたものであり、スイッチの接触部分に隙間ができないようにするためのマグネットを備え、かつ、扉の隙間から金属板等の不正手段を挿入してスイッチ自体に行われる不正行為を防止する遊技機の扉開閉検出装置及び扉開閉検出装置を備えた遊技機を提供することを目的とする。
【課題を解決するための手段】
【０００９】
かかる目的を達成するために、請求項１記載の発明は、前面開口を有して箱状に形成された筐体材及び前面開口を開閉可能に取り付けられた扉部材とを有する遊技機で用いられる遊技機の扉開閉検出装置であって、扉部材には、少なくとも２以上のマグネット部材が取り付けられ、筐体には、１のマグネット部材に対して触接する少なくとも２以上の受け部材が取り付けられ、受け部材同士は、受け部材通電検出手段を介して電気的に接続され、扉部材の閉時に、各マグネット部材が、対応する受け部材に触接することによって、２以上の受け部材と受け部材通電検出手段とが通電することを特徴とする。
【００１０】
請求項２記載の発明は、前面開口を有して箱状に形成された筐体材及び前面開口を開閉可能に取り付けられた扉部材とを有する遊技機で用いられる遊技機の扉開閉検出装置であって、扉部材には、少なくとも２以上のマグネット部材が取り付けられ、筐体には、１のマグネット部材に対して触接する少なくとも２以上の受け部材が取り付けられ、受け部材同士は、受け部材通電検出手段を介して電気的に接続され、１のマグネットは、１のマグネット以外のマグネットに対応する受け部材とマグネット通電検出手段を介して電気的に接続され、扉部材の閉時に、各マグネット部材が、対応する受け部材に触接することによって、受け部材と受け部材通電検出手段、及びマグネット部材とマグネット通電検出手段が通電することを特徴とする。
【００１１】
請求項３記載の発明は、請求項１または２記載の発明において、受け部材通電検出手段及びマグネット通電検出手段は、筐体内部に備えられた主電源供給手段から動作に必要な電源を供給されることを特徴とする。
【００１２】
請求項４記載の発明は、請求項１又は２記載の発明において、筐体の開口部の枠部に取り付けられた筐体板金部と受け部材との間に接続され、筐体板金部と受け部材との間に通電があるかどうかを検出する筐体板金部通電検出手段をさらに有することを特徴とする。
【００１３】
請求項５記載の発明は、請求項１又は２記載の発明において、扉部材の枠部と受け部材との間に通電があるかどうかを検出する扉部材通電検出手段をさらに有することを特徴とする。
【００１４】
請求項６記載の発明は、前面開口を有して箱状に形成された筐体と、前面開口を開閉可能に取り付けられた扉部材とを有し、請求項１から５のいずれか１項に記載の遊技機の扉開閉検出装置を有することを特徴とする。
【００１５】
請求項７記載の発明は、請求項６記載の発明において、受け部材通電検出手段及びマグネット通電検出手段に通電がない場合、扉部材の開放を検出し報知する扉開放報知手段をさらに有することを特徴とする。
【００１６】
請求項８記載の発明は、請求項６記載の発明において、筐体の開口部の枠部に取り付けられた筐体板金部と受け部材との間に接続され、筐体板金部と受け部材との間に通電があるかどうかを検出する筐体板金部通電検出手段をさらに有することを特徴とする。
【００１７】
請求項９記載の発明は、請求項６記載の発明において、扉部材の枠部と受け部材との間に通電があるかどうかを検出する扉部材通電検出手段をさらに有する。
【発明の効果】
【００１８】
以上説明したように、本発明の第１の効果として、スイッチの接触部分にマグネットを使用し、さらにスイッチ部を少なくとも２つ以上設けていることを特徴とするので、ドアの隙間から板状の金属等を遊技機内部に挿入し、内部のドアスイッチに接触させ、擬似的な通電状態を作り出すことによって、ドアセンサが開放を検知しないようにする等の不正行為を防止することが可能となる。
【００１９】
また、本発明の第２の効果として、ソフトウェアによる扉開放検出よりも簡素な構造であるので、ノイズによる誤動作に強く、また、コストが安く簡易に実行できる。
【発明を実施するための最良の形態】
【００２０】
以下、本発明の実施形態について、添付図面を参照して詳細に説明する。
【００２１】
図２を参照して、本発明の実施形態であるスロットマシン１００の外部構造を説明する。スロットマシン１００は、遊技者に面し、開閉可能に取り付けられた、前面扉であるフロントドア（フロントマスク）１０１と、前面開口を有する箱状の筐体１０２とを備えて構成されている。筐体１０２の各部には、後述する種々の遊技展開装置が配設されている。
【００２２】
フロントドア１０１は、筐体１０２及びフロントドア１０１の互いの左縁部に配設された上下のヒンジ機構（図示せず）により横開き開閉可能に取り付けられ、常には右側縁に設けられた鍵穴ＫＹを利用して筐体１０２に閉鎖施錠された状態で保持される。また、フロントドア１０１は、機械的に強固な硬質プラスチックで成形された上部パネル部１０３と中部パネル部１０４及び下部パネル部１０５とを備えて構成されている。また、フロントドア１０１の全体の枠は金属メッキ処理加工されている。
【００２３】
上部パネル１０３には、上部ランプと呼ばれる演出用ランプ１０３ａと、スピーカが取り付けられた放音部１０３ｂ、１０３ｃと、液晶ディスプレイ等で形成された演出表示装置１０３ｄが設けられている。中部パネル部１０４には、透明な硬質プラスチック板で形成された略長方形の透過窓ＷＤと、演出用ランプ１０４ａ、１０４ｄが設けられ、筐体１０２内に設けられている回胴リール装置２００の回胴リールＲ１、Ｒ２、Ｒ３を遊技者が透過窓ＷＤを介して見ることが可能となっている。
【００２４】
さらに、中部パネル部１０４の下端には、遊技者が操作するための操作部１０４ｃが設けられ、操作部１０４ｃには、スロットマシンゲームを行うのに必要な遊技メダルを投入するためのメダル投入部ＭＤと、１ゲーム当たりのメダル数を提示するためのベットボタンＢ１、Ｂ２、Ｂ３と、１ゲームの開始を指示するためのスタートレバーＳＴと、回転中の回胴リールＲ１、Ｒ２、Ｒ３を個別に停止させるためのストップボタンＳＰ１、ＳＰ２、ＳＰ３が設けられている。
【００２５】
さらに、メダル投入部ＭＤの近傍に、フロントドア１０１を開錠するための鍵穴ＫＹが設けられている。そして、遊技場側の事業者や管理者が、鍵穴ＫＹに正規の鍵を挿入して開錠操作すると施錠機構（図示せず）を解除し、フロントドア１０１を筐体１０２から開くことが可能となっている。
【００２６】
下部パネル部１０５には、スロットマシン１００のゲーム内容を紹介等するための画像（図示せず）が描かれており、さらに遊技者の獲得した枚数の遊技のメダルを払い出すための排出口１０５ａ及び受皿１０５ｂと、スピーカが取り付けられていた放音部１０５ｃが設けられている。
【００２７】
次に、図３を参照して、スロットマシン１００におけるフロントドア１０１の裏面構造及び筐体１０２の内部構造を概説する。なお、図３は、フロントドア１０１を開錠して筐体１０２から開いた状態を表している。図３において、フロントドア１０１の裏面上部に、上述の放音１０３ｂ、１０３ｃを構成するスピーカＳＲ、ＳＬが設けられ、スピーカＳＲ、ＳＬの間に演出表示装置１０３ｄが設けられている。
【００２８】
さらに、演出表示装置１０３ｄの裏面側には、電気回路基板で形成されたサブ制御基板３００が取り付けられている。すなわち、サブ制御基板３００は、導電性配線パターンの形成された絶縁性樹脂基板上に集積回路装置（ＩＣ）やトランジスタ、抵抗、コンデンサ等の電子部品が搭載されて配線接続されたいわゆる電気回路基板として形成され、演出表示装置１０３ｄの裏面側に重なるようにして取り付けられている。
【００２９】
ここで、サブ制御基板３００は、遊技機に備えられたランプ、効果音や音楽等の音、及び演出画像の演出関係の制御を行う基板である。このサブ制御基板３００には、演出用スピーカＳＲ、ＳＬ、ＳＷと演出用ランプ１０３ａ、１０４ａ、１０４ｂと演出表示装置１０３ｄがそれぞれ所定の配線ケーブル（図示せず）を介して配線接続されており、サブ制御基板３００に設けられている電気回路が、主制御基板７００からの指示に従ってこれら演出用スピーカＳＲ、ＳＬ、ＳＷと演出用ランプ１０３ａ、１０４ａ、１０４ｂと演出表示装置１０３ｄを駆動することにより、遊技者の視覚や聴覚に訴える演出を行うようになっている。
【００３０】
演出表示装置１０３ｄとサブ制御基板３００の下方には、上述の透過窓ＷＤと中部パネル部１０４のパネル面とが形成された略長方形の枠体１０４ｄが取り付けられている。枠体１０４ｄの下方には、メダル投入部ＭＤより投入される投入物を正規の遊技メダルか異物かを判別して振り分けるセレクト機構Ｇ０と、セレクト機構Ｇ０で振り分けられた遊技メダルを筐体１０２側に設けられているホッパ装置ＨＰへ案内するガイド部材Ｇ１と、セレクト機構Ｇ０で振り分けられた異物を排出口１０５ａへ案内するガイド部材Ｇ２と、ホッパ装置ＨＰから出力される払出し用の遊技メダルを排出口１０５ａへ案内するガイド部材Ｇ３が設けられ、さらに排出口１０５ａの近傍に、放音部１０５ｃを構成するスピーカＳＷが取り付けられている。
【００３１】
筐体１０２の上部には、硬質プラスチックの収納ケース内に収納されたユニット構造である、主制御基板７００がスロットマシン１００の動作を統括するために設けられている。この主制御基板７００を中心として、サブ制御基板３００、中央表示基板４００、電源装置基板５００、回胴装置基板６００、外部集中端子基板８００がそれぞれ所定のケーブル（図示せず）を介して配線接続されている。
【００３２】
ここで、主制御基板７００には、半導体メモリＲＯＭ及びマイクロプロセッサＭＰＵ（ともに図示せず）が搭載されており、マイクロプロセッサＭＰＵが、半導体メモリＲＯＭに予め記憶されているシステムプログラムとスロットマシンゲーム用のプログラムを実行し、上記各基板３００、４００、５００、６００、８００を制御することによって、本スロットマシン１００の動作状況とゲームの進行を統括管理している。具体的には、遊技機のメイン抽選、各リールの制御、入力スイッチ等の管理を行っている。
【００３３】
筐体１０２内の下方には、主電源装置ＰＷＵが設けられている。この主電源装置ＰＷＵは、外部から入力される１００Ｖもしくは２４Ｖであり、各所定の電圧に変圧して各基板に供給される。
【００３４】
図４は、筐体１０２の開口部を示す外観斜視図である。また、図５は筐体１０２とフロントドア１０１の上部の内部構造を示す断面図である。図４に示すように、筐体１０２の開口部の上下左右の各枠部には、筐体板金部１１８が取り付けられる。例えば、図５に示すように、筐体板金部１１８は、筐体の開口枠部に密着するように取り付けられる。筐体板金１１８は、強度の面から一般に金属でできており、フロントドアと筐体の間から不正行為に使用する道具を挿入できないようにすることを目的として取り付ける。
【００３５】
ここで、図５の拡大図に示すように、筐体板金１１８は、折り返すことによってクランク形状１２０にしてもよい。このクランク形状１２０により、筐体１０２とフロントドア１０１との隙間から不正を行うための道具を筐体内部に挿入しづらくなり、また、道具を挿入された場合でも、道具が折り返した部分に突き当たるので、不正検出がしやすくなる。なお、筐体板金１１８は、開口枠部に取り付けられた板金全体をクランク形状にすることができる。
【００３６】
次に、本発明の基本実施形態である、スロットマシン１００に取り付けられ、扉開閉検出装置である、ドアスイッチについて図１及び図６〜図９を参照して説明する。
【００３７】
図１は、スロットマシン１００の内部構造におけるドアスイッチを示す概略図である。フロントドア１０１の内部には、マグネットａ１０６と、マグネットｂ１０７が並列して取り付けられている。拡大した取り付け部分を図６に示す。また、筐体１０２の内部には、マグネットｂ１０７に対応して接触する受け部材として、受け部Ａ１１０及び受け部Ｂ１１１が取り付けられ、同様にして、マグネットａ１０６に対応して接触する受け部材として、受け部Ｃ１０８及び受け部Ｄ１０９が取り付けられている。各受け部の拡大した取り付け部分を図７に示す。
【００３８】
また、受け部Ａ及び受け部Ｂの間には、受け部材同士の通電検出装置であるテスタ１１３が、受け部Ｃ及び受け部Ｄの間にも同様のテスタ１１２がそれぞれ接続されている。本実施形態で用いるテスタは、通電しているかを検出するものであれば何でも良い。なお、各テスタは、図３に示す主制御板７００及びサブ制御基板３００のいずれかで監視可能としても良いし、また、テスタの動作に必要な電源は、図３の主電源装置ＰＷＵから供給される。なお、本実施形態では、主基板やサブ基板を用いて監視するとしているが、スロットマシンが備えている任意の基板を用いて、各テスタの状態を監視しても良い。任意の基板は、ＣＰＵ及びＲＯＭを搭載しているものが好ましい。
【００３９】
図８は、マグネットｂ１０７と受け部Ａ及び受け部Ｂとの接触状態を拡大した図である。受け部Ａ１１０及び受け部Ｂ１１１は、金属で構成されるので、図８に示すように、マグネットｂ１０７と、受け部Ａ１１０及び受け部Ｂ１１１は、フロントドア１０１を閉める行為によって磁力を利用して接触する。この接触状態のときに遊技機の扉は閉状態となる。マグネットｂ１０７と受け部Ａ１１０及び受け部Ｂ１１１とが接触していないときは、扉は開状態となる。扉の開閉状態の検出は、テスタ１１３によって通電があるかどうかによって判断される。
【００４０】
ここで、本実施形態において、受け部Ａ１１０及び受け部Ｂ１１１が受け部アセンブリに取り付けられている部分には、バネ等の伸縮部材（図示せず）が埋め込まれており、図８に示すように、マグネットｂ１０７と各受け部とが接触した場合、受け部は伸縮部材により受け部アセンブリ内に沈むようになっている。よって、遊技機のフロントドアが閉まった時にマグネットと各受け部とが確実に接触できる。一般にスロットマシンの筐体とフロントドアのクリアランスは、がたがあるものないものとまちまちであり、ドアがきっちり閉まらない場合にマグネットと受け部とが接触しないという問題があったので、本実施形態によれば、上記構成によりこの問題を解決できる。また、受け部が複数ある場合は、マグネット接触時に、少なくとも１つの受け部が伸縮部材により沈む構造であれば、アセンブリがどんな素材のものであっても、確実に接触することが可能となる。
【００４１】
次に、本発明の基本実施形態であるドアスイッチの処理動作について図９を参照して説明する。
【００４２】
図９に示すように、まず、マグネットｂ１０７が受け部Ａ１１０及び受け部Ｂ１１１に接触し、受け部Ａ１１０と受け部Ｂ１１１とに通電があるかをテスタ１１３によって判断する（Ｓ１１）。通電がない場合（Ｓ１１／ＮＯ）、遊技機のドアが開放されていることを検知する（Ｓ１３）。通電がある場合（Ｓ１１／ＹＥＳ）、マグネットａ１０７が受け部Ｃ１０８及び受け部Ｄ１０９に接触し、受け部Ｃと受け部Ｄとに通電があるかをテスタ１１２によって判断する（Ｓ１２）。通電がある場合（Ｓ１２／ＹＥＳ）、遊技機のドアは閉まっていると判断し、処理を終了する。通電がない場合（Ｓ１２／ＮＯ）、遊技機のドアが開放されていることを検知する（Ｓ１３）。ドア開放を検知した場合（Ｓ１３）、警報音等の音・ランプ等の光・信号等の報知手段を用いて、遊技機本体から報知する。なお、Ｓ１１とＳ１２は順番を逆にしてそれぞれ判断しても良い。
【００４３】
本実施形態では、マグネットとそれに対応する受け部を２組設けたが、２組以上ならば複数のマグネット、それぞれのマグネットに対応する複数の受け部、及び受け部同士の間につながれるテスタを設けても良い。
【００４４】
以上、本発明の基本実施形態によれば、スイッチ部分にマグネットを使用することにより、マグネットと受け部の接触時に双方が密着し、従来のボタン式スイッチのように隙間が生じないので、隙間に板状のものやテープ等を挟み込んで擬似的な通電状態を作り出す不正行為を防止することが可能となる。
【実施例１】
【００４５】
次に、実施例１として、本発明の実施形態であり、遊技機の扉開閉検出装置である、ドアスイッチについて図１０〜図１４を参照して説明する。
【００４６】
図１０は、スロットマシン１００の内部構造におけるドアスイッチを示す概略図である。フロントドア１０１の内部には、マグネットａ１０６と、マグネットｂ１０７が並列して取り付けられている。また、筐体１０２の内部には、マグネットｂ１０６に対応して接触する受け部材として、受け部Ａ１１０及び受け部Ｂ１１１が取り付けられており、受け部Ａと受け部Ｂは、受け部材同士の通電を検出するテスタ１１３を介して接続されている。また、マグネットａ１０６と受け部Ａ１１０の間には、マグネット部材と受け部材と間の通電検出装置である、テスタ１１５が接続されており、筐体板金１１８と受け部Ｂ１１１の間には、筐体板金と受け部材との通電検出装置である、テスタ１１６が接続されている。マグネットａ１０６に対応して接触する受け部材として、受け部Ｃ１０８及び受け部Ｄ１０９が取り付けられており、受け部Ｃと受け部Ｄはテスタ１１２を介して接続されている。また、マグネットｂ１０７と受け部Ｃ１０８の間には、マグネット部材と受け部材と間の通電検出装置である、テスタ１１４が接続されており、筐体板金１１８と受け部Ｄ１１１の間には、筐体板金と受け部材との通電検出装置である、テスタ１１９が接続されている。さらに、筐体板金部１１８とフロントドア１０１は、筐体板金と扉部材との通電検出装置であるテスタ１１７によって接続されている。
【００４７】
上述した基本実施形態と同様に、実施例１で用いるテスタは、通電しているかを検出するものであれば何でも良い。なお、上述した各テスタは、図３に示す主制御板７００及びサブ制御基板３００のどちらでも監視可能とし、また、テスタの動作に必要な電源は、図３の主電源装置ＰＷＵから供給される。
【００４８】
次に、実施例１のドアスイッチにおける第１の処理動作について、図１１のフローチャートを参照して説明する。
【００４９】
まず、マグネットｂ１０７が受け部Ａ１１０及び受け部Ｂ１１１に接触し、受け部Ａ１１０と受け部Ｂ１１１とに通電があるかをテスタ１１３によって判断する（Ｓ２１）。通電がない場合（Ｓ２１／ＮＯ）、ドアスイッチに不正行為がされていることを検出する（Ｓ２５）。通電がある場合（Ｓ２１／ＹＥＳ）、マグネットａ１０６と受け部Ａ１１０に通電があるかをテスタ１１５によって判断する（Ｓ２２）。通電がない場合（Ｓ２２／ＮＯ）、ドアスイッチに不正行為がされていることを検出する（Ｓ２５）。通電があった場合は（Ｓ２２／ＹＥＳ）、マグネットａ１０６が受け部Ｃ１０８及び受け部Ｄ１０９に接触し、受け部Ｃと受け部Ｄとに通電があるかをテスタ１１２によって判断する（Ｓ２３）。ここで、通電がない場合は（Ｓ２３／ＮＯ）、ドアスイッチに不正行為がされていることを検出し（Ｓ２５）、通電がある場合は（Ｓ２３／ＹＥＳ）、マグネットｂ１０７と受け部Ｃ１０８に通電があるかをテスタ１１４によって判断する（Ｓ２４）。通電がない場合（Ｓ２４／ＮＯ）、ドアスイッチに不正行為がされていることを検出し（Ｓ２５）、通電がある場合は（Ｓ２４／ＹＥＳ）、遊技機のドアスイッチに不正行為がされていないものとして処理を終了する。
【００５０】
次に、実施例１のドアスイッチにおける第２の処理動作について、図１２のフローチャートを参照して説明する。
【００５１】
受け部Ｂ１１１と筐体板金部１１８、又は受け部Ｄ１０９とフロントドア１０１との通電があるかをテスタ１１６又はテスタ１１９によって判断する（Ｓ３１）。通電がある場合（Ｓ３１／ＹＥＳ）、不正行為有りとして不正を検出する（Ｓ３２）。この場合、例えば、不正行為者が、擬似的に通電状態を作り出すために、筐体とフロントドアの隙間から板状の金属を挿入し、その板状の金属を受け部Ｂ１１１（又は受け部Ｄ１０９）に接触させている状態などが考えられる。この時、図１４に示すように、挿入された板状の金属によって受け部Ｄ１０９と筐体板金部１１８とが接続され、通電することになるので、通電があるということは不正が行われていることになる。通電がない場合は（Ｓ３１／ＮＯ）、ドアスイッチに異常なしと判断して処理を終了する。
【００５２】
次に、実施例１のドアスイッチにおける第３の処理動作について、図１３のフローチャートを参照して説明する。
【００５３】
フロントドア１０１と筐体板金部１１８に通電があるかをテスタ１１７によって判断する（Ｓ４１）。通電がある場合（Ｓ４１／ＹＥＳ）、不正行為有りとして不正を検出する（Ｓ４２）。ここで、通電があるということは、フロントドア１０１と筐体１０２との隙間から強引に金属類の不正手段が挟み込まれている状態を示す。つまり、フロントドア１０１と筐体板金部１１８とが金属類の不正手段に接触するので通電状態となり、この状態を不正としてテスタ１１７によって検出する。通電がない場合は（Ｓ４１／ＮＯ）、ドアスイッチに異常なしと判断して処理を終了する。なお、不正手段を挟み込む場所がフロントドア１０１と筐体１０２の隙間であれば、筐体の上下左右問わず、どこから挟んでも本実施例では通電を検出できる。
【００５４】
上述した第１の処理動作〜第３の処理動作において不正を検出した場合、警報音等の音・ランプ等の光・信号等の報知手段を用いて、遊技機本体から不正行為がなされた旨を報知する。
【００５５】
以上、本発明の実施例１によれば、スイッチ部分にマグネットを使用することにより、マグネットと受け部の接触時に双方が密着し、従来のボタン式スイッチのように隙間が生じないので、隙間に板状のものやテープ等を挟み込んで擬似的な通電状態を作り出す不正行為を防止することが可能となる。また、ソフトウェアによる扉開放検出よりも構造が簡素なため、ノイズによる誤動作に強い。また、コストが安く簡易に実施できる。
【産業上の利用可能性】
【００５６】
ドアスイッチ部にマグネットを使用することにより、スイッチとその受け部に不正手段を挟み込む不正行為を防止でき、スイッチ部を少なくとも２組以上設けることによって、遊技機のフロントドアと筐体との隙間から不正手段を挿入し、ドアスイッチ部に対してなされる不正行為を防止できる。また、ソフトウェアによる扉開放検出よりも構造が簡素であるので、ノイズによる誤動作に強く、かつ、コストが安く簡易に実行できる。なお、本実施例は、スロットマシンを用いて説明したが、例えば、スロットマシン以外の箱形形状の遊技機、或いは弾球遊技機の開閉機構に用いても良い。
【図面の簡単な説明】
【００５７】
【図１】スロットマシンにおけるドアスイッチの内部構成を示す概略図である。
【図２】本発明の実施形態であるスロットマシンの正面外観を示す平面図である。
【図３】本発明の実施形態であるスロットマシンの内部構成を示す平面図である。
【図４】スロットマシンにおける筐体及び筐体板金部の外観を示す斜視図である。
【図５】スロットマシン上部の内部構成及び筐体板金部の取り付け状態を示す断面図である。
【図６】スロットマシンにおけるフロントドアの内部構造を拡大した平面図である。
【図７】スロットマシンにおける筐体の内部構造を拡大した平面図である。
【図８】本発明の基本実施形態におけるドアスイッチの接触状態を示すイメージ図である。
【図９】本発明の基本実施形態におけるドアスイッチの処理動作を示すフローチャートである。
【図１０】実施例１のスロットマシンにおけるドアスイッチの内部構成を示す概略図である。
【図１１】実施例１におけるドアスイッチの第１の処理動作を示すフローチャートである。
【図１２】実施例１におけるドアスイッチの第２の処理動作を示すフローチャートである。
【図１３】実施例１におけるドアスイッチの第３の処理動作を示すフローチャートである。
【図１４】実施例１におけるドアスイッチの第２の処理動作に係る不正行為の例を示すイメージ図である。
【符号の説明】
【００５８】
１００    スロットマシン
１０１    フロントドア（フロントマスク）
１０２    筐体
１０３    上部パネル
１０３ａ    演出用ランプ
１０３ｂ    放音部
１０３ｃ    放音部
１０３ｄ    演出表示装置
１０４    中部パネル
１０４ａ    演出用ランプ
１０４ｃ    操作部
１０４ｄ    枠体
１０５    下部パネル
１０５ａ    排出口
１０５ｂ    受皿
１０５ｃ    放音部
１０６    マグネットａ
１０７    マグネットｂ
１０８    受け部Ｃ
１０９    受け部Ｄ
１１０    受け部Ａ
１１１    受け部Ｂ
１１２、１１３、１１４、１１５、１１６、１１７、１１９    テスタ
１１８    筐体板金部
１２０    クランク形状
２００    回胴リール装置
３００    サブ制御基板
４００    中央表示基板
５００    電源装置基板
６００    回胴装置基板
７００    主制御基板
８００    外部集中端子基板
ＭＤ    メダル投入部
ＫＹ    鍵穴
ＷＤ    透過窓
Ｒ１、Ｒ２、Ｒ３    回胴リール
Ｂ１、Ｂ２、Ｂ３    ベットボタン
ＳＰ１、ＳＰ２、ＳＰ３    ストップボタン
ＳＴ    スタートレバー
ＳＲ、ＳＬ、ＳＷ    スピーカ
Ｇ１、Ｇ２、Ｇ３    ガイド部材
Ｇ０    セレクト機構
ＰＷＵ    主電源装置
ＢＱ    システム電源スイッチ
ＢＯ    設定スイッチ
ＨＰ    ホッパ装置
ＳＨＰ    補助貯留装置
ＣＴ    設定表示素子
ＣＳ    設定ボタン
【図１】
2005034551.tif 000003
【図２】
2005034551.tif 000004
【図３】
2005034551.tif 000005
【図４】
2005034551.tif 000006
【図５】
2005034551.tif 000007
【図６】
2005034551.tif 000008
【図７】
2005034551.tif 000009
【図８】
2005034551.tif 000010
【図９】
2005034551.tif 000011
【図１０】
2005034551.tif 000012
【図１１】
2005034551.tif 000013
【図１２】
2005034551.tif 000014
【図１３】
2005034551.tif 000015
【図１４】
2005034551.tif 000016